Podtech/llm-jp-corpus-v4-ja_patent huggingface dataset:
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
複数のタスクを並行して実行するハードウェア実行エンジンと；
複数のヒープとを有するマルチタスク仮想マシンであって、前記複数のヒープは：
前記複数のタスクによってアクセス可能なシステム・データを記憶するシステム・ヒープであって、前記システム・ヒープに記憶される前記システム・データの寿命は当該マルチタスク仮想マシンの一つのインスタンス化に等しい、システム・ヒープと；
前記複数のタスクのうちの一つのタスクに割り当てられ、割り当てられたタスクによってのみアクセス可能なタスク・データを記憶するタスク・ヒープであって、前記タスク・ヒープに記憶される前記タスク・データの寿命は割り当てられるタスクの寿命に等しい、タスク・ヒープと；
アプリケーションに割り当てられ、該アプリケーションのアプリケーション・データを記憶するアプリケーション・ヒープであって、前記アプリケーション・データは前記複数のタスクのうち前記アプリケーションに関連付けられた少なくとも一つのタスクによってのみアクセス可能であり、前記複数のタスクのうち二つ以上のタスクが前記アプリケーションに関連付けられていてもよく、前記アプリケーション・ヒープに記憶される前記アプリケーション・データの寿命は前記アプリケーションの寿命に等しい、アプリケーション・ヒープとを有する、
マルチタスク仮想マシン。
【請求項２】
前記システム・データがグローバルに共有されたライブラリおよびグローバルに共有されたランタイム環境変数のシステム・メタデータを含む、請求項１記載のマルチタスク仮想マシン。
【請求項３】
前記アプリケーション・データが、アプリケーション・クラス・ファイル、アプリケーション・ライブラリおよびアプリケーション・ランタイム環境変数のアプリケーション・メタデータを含む、請求項１記載のマルチタスク仮想マシン。
【請求項４】
割り当てられたタスクが終了される場合に前記タスク・ヒープを再利用するためのヒープ・マネージャをさらに有する、請求項１記載のマルチタスク仮想マシン。
【請求項５】
前記アプリケーションに関連付けられた割り当てられた前記少なくとも一つのタスクが終了される場合に前記アプリケーション・ヒープを再利用するためのヒープ・マネージャをさらに有する、請求項１記載のマルチタスク仮想マシン。
【請求項６】
前記アプリケーション・データが、グローバルに共有されたライブラリおよびグローバルに共有されたランタイム環境変数のシステム・メタデータならびにアプリケーション・クラス・ファイル、アプリケーション・ライブラリおよびアプリケーション・ランタイム環境変数のアプリケーション・メタデータを含む、請求項１記載のマルチタスク仮想マシン。
【請求項７】
前記アプリケーション・データが、アプリケーション・クラス・ファイル、アプリケーション・ライブラリおよびアプリケーション・ランタイム環境変数のアプリケーション・メタデータを含み、前記タスク・データがグローバルに共有されたライブラリおよびグローバルに共有されたランタイム環境変数のシステム・メタデータを含む、請求項１記載のマルチタスク仮想マシン。
【請求項８】
前記システム・ヒープが単一物であり、再利用または圧縮にかけられなくてもよい、請求項１記載のマルチタスク仮想マシン。
【請求項９】
同じクラス・パスを共有する二つ以上のタスクが一つのアプリケーションに属する、請求項１記載のマルチタスク仮想マシン。
【請求項１０】
前記クラス・パスが、クラス・ファイルの順序付けされたテーブルを有する、請求項９記載のマルチタスク仮想マシン。
【請求項１１】
命令が記憶されている機械可読媒体であって、該命令は、実行されると、機械に請求項１ないし１０のうちいずれか一項記載の一つまたは複数の動作を実行させる、機械可読媒体。
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
半導体基板の主面に形成された第１ゲート絶縁膜と、
前記第１ゲート絶縁膜の上に形成され、前記半導体基板主面の第１方向に延在する第１ゲート電極と、
前記半導体基板主面において前記第１方向と直交する第２方向において、第１ゲート電極は、第１側面と第２側面とを有し、
前記第２方向において、前記第１ゲート電極の前記第２側面と隣り合って、前記半導体基板主面上に形成され、前記第１方向に延在する第２ゲート電極と、
前記第２方向において、前記第２ゲート電極は第１側面と第２側面を有し、
前記第１ゲート電極の前記第２側面と前記第２ゲート電極の前記第１側面との間及び前記第２ゲート電極と前記半導体基板主面の間に形成された第２ゲート絶縁膜と、
前記第２方向において、前記第１ゲート電極の前記第１側面側の前記半導体基板内に形成された第１半導体領域と、
前記第２方向において、前記第１半導体領域に隣接して前記半導体基板内に形成され、かつ、前記第１半導体領域よりも不純物濃度の高い第２半導体領域と、
前記第２方向において、前記第２ゲート電極の前記第２側面側の前記半導体基板に形成された第３半導体領域と、
前記第２方向において、前記第３半導体領域に隣接して前記半導体基板内に形成され、かつ、前記第３半導体領域よりも不純物濃度の高い第４半導体領域と、
を有し、
前記第２ゲート絶縁膜は、下層絶縁膜と、前記下層絶縁膜上に形成された電荷を蓄積する機能を有する電荷蓄積層と、前記電荷蓄積層上に形成された上層絶縁膜を含み、
前記第２ゲート電極と前記半導体基板との間に形成されている前記電荷蓄積層は、前記第２方向において、前記第２ゲート電極よりも短く形成され、
前記第２ゲート絶縁膜は、前記第３半導体領域と重なる第１部分と、前記第３半導体領域と重ならない第２部分とを有し、前記第１部分と前記第２部分とは前記第２方向に隣接しており、
前記第３半導体領域は、前記第２方向において、前記第２ゲート電極と前記半導体基板との間に形成されている前記電荷蓄積層とオーバーラップする第１領域と、前記第２ゲート電極と前記半導体基板との間に形成されている前記電荷蓄積層とオーバーラップしない第２領域とを有し、
前記第１部分は、前記第１領域を含むことを特徴とする不揮発性半導体装置。
【請求項２】
請求項１記載の不揮発性半導体装置において、
前記電荷蓄積層には、バンド間トンネリング現象により前記第３半導体領域の端部で発生した正孔が注入されることを特徴とする不揮発性半導体装置。
【請求項３】
請求項２記載の不揮発性半導体装置において、
前記正孔は、前記第３半導体領域上に位置する前記電荷蓄積層にも注入されることを特徴とする不揮発性半導体装置。
【請求項４】
請求項１記載の不揮発性半導体装置において、
前記電荷蓄積層には、前記第１半導体領域と前記第３半導体領域との間で発生した電子が注入されることを特徴とする不揮発性半導体装置。
【請求項５】
請求項４記載の不揮発性半導体装置において、
前記電子は、前記電荷蓄積層の前記第１ゲート電極側に局所的に注入されることを特徴とする不揮発性半導体装置。
【請求項６】
請求項１記載の不揮発性半導体装置において、
前記電荷蓄積層は、窒化シリコン膜からなることを特徴とする不揮発性半導体装置。
【請求項７】
請求項１記載の不揮発性半導体装置において、
前記第２ゲート電極はサイドウォールで形成されていることを特徴とする不揮発性半導体装置。
【請求項８】
半導体基板の主面に形成された第１ゲート絶縁膜と、
前記第１ゲート絶縁膜の上に形成され、前記半導体基板主面の第１方向に延在する第１ゲート電極と、
前記半導体基板主面において前記第１方向と直交する第２方向において、第１ゲート電極は、第１側面と第２側面とを有し、
前記第１ゲート電極の前記第１側面側の前記半導体基板内に形成された第１半導体領域と、
前記第２方向において、前記第１ゲート電極の前記第２側面側の前記半導体基板内に形成された第２半導体領域と、
を有し、
前記第１ゲート絶縁膜は、下層絶縁膜と、前記下層絶縁膜上に形成された電荷を蓄積する機能を有する電荷蓄積層と、前記電荷蓄積層上に形成された上層絶縁膜を含み、
前記第１ゲート電極と前記半導体基板との間に形成されている前記電荷蓄積層は、前記第２方向において、前記第１ゲート電極よりも短く形成され、
前記第１ゲート絶縁膜は、前記第１半導体領域と重なる第１部分と、前記第１半導体領域と重ならない第２部分とを有し、前記第１部分と前記第２部分とは前記第２方向に隣接しており、
前記第１半導体領域は、前記第１ゲート電極と前記半導体基板との間に形成されている前記電荷蓄積層とオーバーラップする第１領域と、前記第１ゲート電極と前記半導体基板との間に形成されている前記電荷蓄積層とオーバーラップしない第２領域とを有し、
前記第１部分は、前記第１領域を含むことを特徴とする不揮発性半導体装置。
【請求項９】
請求項８記載の不揮発性半導体装置において、
前記電荷蓄積層には、バンド間トンネリング現象により前記第１半導体領域の端部で発生した正孔が注入されることを特徴とする不揮発性半導体装置。
【請求項１０】
請求項９記載の不揮発性半導体装置において、
前記正孔は、前記第１半導体領域上に位置する前記電荷蓄積層にも注入されることを特徴とする不揮発性半導体装置。
【請求項１１】
請求項１０記載の不揮発性半導体装置において、
前記電荷蓄積層は、窒化シリコン膜からなることを特徴とする不揮発性半導体装置。
【手続補正書】
【提出日】平成25年7月21日(2013.7.21)
【手続補正１】
【補正対象書類名】特許請求の範囲
【補正対象項目名】全文
【補正方法】変更
【補正の内容】
【特許請求の範囲】
【請求項１】
二つのシステムにより同時に発行され、ペアを構成する二つのライセンスを組み合わせることにより、コンテンツの使用が許可されることを特徴とするライセンス管理方法。
【請求項２】
二つのシステムにより同時に発行され、ペアを構成する二つのライセンスを組み合わせることにより、コンテンツの使用が許可される前記ライセンスを前記システムが発行することを特徴とするライセンス発行方法。
【請求項３】
二つのシステムにより同時に発行され、ペアを構成する二つのライセンスを組み合わせることにより、コンテンツの使用が許可される前記ライセンスを前記システムが発行するライセンス発行システムに用いたことを特徴とするいずれかのシステム。
【請求項４】
請求項３に記載のライセンス発行システムの前記ライセンスを取得した、及び／又は、該ライセンスが前記ペアを構成することを確認して前記コンテンツの使用を許可したことを特徴とする装置。
【請求項５】
コンピュータを、請求項４に記載の装置として機能させるための制御プログラム。
【手続補正２】
【補正対象書類名】明細書
【補正対象項目名】０００５
【補正方法】変更
【補正の内容】
【０００５】
上記の課題を解決するため本発明のライセンス管理システムは、二つのシステムにより同時に発行され、ペアを構成する二つのライセンスを組み合わせることにより、コンテンツの使用が許可されることを特徴とする。
【手続補正書】
【提出日】平成25年8月28日(2013.8.28)
【手続補正１】
【補正対象書類名】明細書
【補正対象項目名】発明の名称
【補正方法】変更
【補正の内容】
【発明の名称】ＥＬ表示装置
【手続補正２】
【補正対象書類名】特許請求の範囲
【補正対象項目名】全文
【補正方法】変更
【補正の内容】
【特許請求の範囲】
【請求項１】
第１のトランジスタと、
第２のトランジスタと、
ＥＬ素子と、
第１の配線と、
第２の配線と、
金属を有する膜と、
を有し、
前記第１のトランジスタのソース又はドレインの一方は、前記第１の配線と電気的に接続され、
前記第１のトランジスタのソース又はドレインの他方は、前記第２のトランジスタのゲートと電気的に接続され、
前記第１のトランジスタのゲートは、前記第２の配線と電気的に接続され、
前記第２のトランジスタのソース又はドレインの一方は、前記ＥＬ素子の第１の電極と電気的に接続され、
前記金属を有する膜は、前記ＥＬ素子の第２の電極と電気的に接続され、
前記第１のトランジスタのゲートは、第１の材料を有し、
前記第２の配線は、前記第１の材料とは別の第２の材料を有し、
前記ＥＬ素子の第２の電極は、前記ＥＬ素子の発光層から発せられる光を透過することができる機能を有し、
前記金属を有する膜は、遮光性を有し、
前記ＥＬ素子の発光層は、前記ＥＬ素子の第１の電極の縁と重なる第１の部分を有し、
前記ＥＬ素子の第２の電極は、前記ＥＬ素子の第１の電極の縁と重なる第２の部分を有し、
前記第１の配線は、前記ＥＬ素子の第１の電極の縁と重なる第３の部分を有し、
前記第１の配線は、前記金属を有する膜と重なる第４の部分を有することを特徴とするＥＬ表示装置。
【請求項２】
請求項１において、
前記第１のトランジスタは、二つ以上のチャネル形成領域を有することを特徴とするＥＬ表示装置。
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
混合されたイオン／電子伝導性電解質を用いて固体電解質燃料電池スタック（１０、３０）を作動する方法であって、
固体電解質燃料電池スタック（１０、３０）の要求された電力出力を測定すること、
該測定された電力出力に応じて固体電解質燃料電池スタック（１０、３０）の少なくとも一つの作動条件を制御すること、を含み、
制御される前記固体電解質燃料電池スタック（１０、３０）の作動条件は、該燃料電池スタックの温度および該燃料電池スタックに供給される燃料の希釈の少なくとも一方により制御され、
前記固体電解質燃料電池スタック（１０、３０）の電力出力を下げるために前記燃料電池スタックの温度が下げられ、前記固体電解質燃料電池の電力出力を上がるために前記燃料電池スタックの温度が上昇され、
前記固体電解質燃料電池スタック（１０、３０）の電力出力を下げるために前記燃料電池スタックへ供給される燃料の希釈率が増加され、前記固体電解質燃料電池スタックの電力出力を下げるために前記燃料電池スタックへ供給される燃料の希釈率が低下される、方法。
【請求項２】
請求項１に記載の方法において、前記燃料電池スタックの温度が６５０℃以下に維持される、方法。
【請求項３】
請求項２に記載の方法において、前記燃料電池スタックの温度が６００℃以下に維持される、方法。
【請求項４】
請求項１から３のいずれかに記載の方法において、前記燃料電池スタックに供給される燃料が、所定量のスチーム、二酸化炭素、窒素、もしくは二酸化炭素および／または窒素およびスチームを含む混合物で希釈される、方法。
【請求項５】
請求項１から３のいずれかに記載の方法において、前記燃料電池スタックに供給される燃料が、前記燃料電池の陽極側からの再利用された排ガスの比率を変えて希釈される、方法。
【請求項６】
請求項１から５のいずれかに記載の方法において、ガドリニウムをドープした酸化セリウムを含む電解質を用いた固体電解質燃料電池に適用される、方法。
【請求項７】
混合されたイオン／電子伝導性電解質を用いた固体電解質燃料電池スタック（１０、３０）のための制御システムであって、
前記スタックの要求された電力出力を測定する手段と、
前記要求された電力出力に応じてスタックの少なくとも一つの作動条件を制御するコントローラ（１００）と、を含み、
前記コントローラ（１００）が、前記スタックの温度および前記スタックに供給される燃料の希釈率の少なくとも一方を制御するように構成され、
前記要求された電力出力が減少しつつあることを前記測定手段が測定した結果として前記コントローラ（１００）が前記スタックの温度を下げるように構成され、前記要求された電力出力が上がりつつあることを前記測定手段が測定した結果として前記コントローラ（１００）が前記スタックの温度を上げるように構成され、
前記要求された電力出力が減少しつつあることを前記測定手段が測定した結果として前記コントローラ（１００）が前記燃料電池スタックに供給される燃料の希釈率を上げ、前記要求された電力出力が上がりつつあることを前記測定手段が測定した結果として前記コントローラ（１００）が前記燃料電池スタックに供給される燃料の希釈率を下げる、制御システム。
【請求項８】
請求項７に記載の制御システムにおいて、前記測定手段が前記スタックからの電力出力をモニタするように構成された、制御システム。
【請求項９】
請求項７又は８に記載の制御システムにおいて、前記コントローラ（１００）が前記スタックの温度を６５０℃以下に維持するように構成された、制御システム。
【請求項１０】
請求項９に記載の制御システムにおいて、前記コントローラ（１００）が前記スタックの温度を６００℃以下に維持するように構成された、制御システム。
【請求項１１】
請求項７乃至１０の何れかに記載の制御システムにおいて、前記コントローラ（１００）は、前記燃料電池スタックに供給される燃料が所定量のスチーム、二酸化炭素、窒素、もしくは二酸化炭素および／または窒素およびスチームを含む混合物で希釈されるように制御するように構成された、制御システム。
【請求項１２】
請求項７から１１のいずれかに記載の制御システムにおいて、前記コントローラ（１００）は、前記燃料電池スタックに供給される燃料が前記燃料電池スタックの陽極側からの再利用された排ガスの比率を変えて希釈されるように制御するように構成された、制御システム。
【請求項１３】
請求項７から１２のいずれかに記載の制御システムを含む、混合されたイオン／電子伝導性電解質を用いた燃料電池スタック。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
交流電源から出力される交流電圧を直流電圧に整流する整流回路、前記整流回路によって整流された直流電圧を平滑する平滑コンデンサ、前記平滑コンデンサによって平滑された直流電圧を所望の交流電圧に変換する変換回路、および前記変換回路を制御する制御部を具備するインバータ装置において、
前記変換回路は、
第１のスイッチング素子と、
前記第１のスイッチング素子と並列に接続され、前記第１のスイッチング素子よりも導通損失が小さく、且つ、スイッチング速度が速い第２のスイッチング素子と、
を備える複数のスイッチング回路により構成され、
前記制御部は、
前記各スイッチング回路をそれぞれオンオフ駆動するための複数の駆動信号を生成する駆動部と、
前記各スイッチング回路毎に、前記各駆動信号に基づき前記第１のスイッチング素子よりも前記第２のスイッチング素子を遅れてオン動作させ、前記第２のスイッチング素子よりも前記第１のスイッチング素子を遅れてオフ動作させるゲート回路と、
を備える
ことを特徴とするインバータ装置。
【請求項２】
前記ゲート回路は、
前記駆動部から前記第１のスイッチング素子の制御端子に電流が流れる向きに直列接続された第１のダイオードおよび第１の抵抗と、
前記第１のスイッチング素子の制御端子から前記駆動部に電流が流れる向きに直列接続された第２のダイオードおよび第２の抵抗と、
前記駆動部から前記第２のスイッチング素子の制御端子に電流が流れる向きに直列接続された第３のダイオードおよび第３の抵抗と、
前記第２のスイッチング素子の制御端子から前記駆動部に電流が流れる向きに直列接続された第４のダイオードおよび第４の抵抗と、
を前記各スイッチング回路に対してそれぞれ備え、
前記第１の抵抗の抵抗値は、前記第３の抵抗の抵抗値よりも小さく、前記第２の抵抗の抵抗値は、前記第４の抵抗の抵抗値よりも大きいことを特徴とする請求項１に記載のインバータ装置。
【請求項３】
前記制御部は、前記変換回路の負荷が通常時とは異なる低負荷状態または拘束通電時の場合に、前記第１のスイッチング素子のオンオフ動作を停止させることを特徴とする請求項１に記載のインバータ装置。
【請求項４】
前記ゲート回路は、前記各スイッチング回路毎に、前記第１のスイッチング素子の制御端子と出力端子とを短絡させる複数のトランジスタをさらに備え、
前記制御部は、前記変換回路の負荷が通常時とは異なる低負荷状態または拘束通電時の場合に、前記トランジスタをオンに制御する
ことを特徴とする請求項２に記載のインバータ装置。
【請求項５】
前記第２のスイッチング素子は、ワイドバンドギャップ半導体によって形成されていることを特徴とする請求項１〜４のいずれか一項に記載のインバータ装置。
【請求項６】
前記ワイドバンドギャップ半導体は、炭化珪素、窒化ガリウム系材料、またはダイヤモンドであることを特徴とする請求項５に記載のインバータ装置。
【請求項７】
請求項１〜６のいずれか一項に記載の１つあるいは複数のインバータ装置と、
冷却または加温された空気を室内に送り出す送風用ファンを有する室内ユニットと、
冷媒を圧縮する圧縮機、前記冷媒と外気との熱交換を実施する熱交換器、および該熱交換器に外気を送り込むファンを有する室外ユニットと、
を備え、
前記送風用ファン、前記圧縮機、あるいは前記ファンを駆動するモータのうちの１つあるいは複数がそれぞれに対応する前記インバータ装置により回転駆動されることを特徴とする空気調和機。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
体に装着する救命具であって、該救命具は普段は防寒着としても着用でき、該救命具に袋体（１）と該袋体（１）内に密封状態にした中空部（１ｂ）を設け、該中空部（１ｂ）内に圧力を加えると変形し圧力を取り去ると元の形状に戻る復元部材（３）を設け、該袋体（１）に中空部（１ｂ）内へ空気を吸入させる適当長の吸入チューブ（２）に空気吸入口（２ａ）を設け、予め前記復元部材（３）に圧力を加えた変形した状態で中空部（１ｂ）内の空気が抜かれた状態で該空気吸入口（２ａ）を密封状態に塞いでおき、必要時や緊急時に袋体（１）が水中にある状態で該空気吸入口（２ａ）を空中に出して開口して中空部（１ｂ）内へ空気が流入する状態になると、前記復元部材（３）の復元力をＦ２、袋体（１）に加わる水圧をＦ１とすると、水中の袋体（１）にはＦ２＞Ｆ１となる復元力が働いて復元部材（３）が元の形状に戻る変形が起き、その変形に追従して開口した空気吸入口（２ａ）から中空部（１ｂ）内へと空気が吸入されて袋体（１）内全体の容積が増えることで、該袋体（１）全体の浮力が増して袋体（１）を装着した体が浮くようにした救命浮き袋。
【請求項２】
体に装着する救命具であって、該救命具は普段は防寒着としても着用でき、該救命具に袋体（１）と該袋体（１）内に密封状態にした中空部（１ｂ）を設け、該中空部（１ｂ）内に圧力を加えると変形し圧力を取り去ると元の形状に戻る復元部材（３）を設け、該袋体（１）に中空部（１ｂ）内へ水や海水を吸入させる水吸入口（２ｄ）を設け、予め前記復元部材（３）に圧力を加えた変形した状態で中空部（１ｂ）内の空気が抜かれた状態で該水吸入口（２ｄ）を密封状態に塞いでおき、必要時や緊急時に袋体（１）が水中にある状態で該水吸入口（２ｄ）を水中で開口して中空部（１ｂ）内に水や海水が流入する状態になると、前記復元部材（３）の復元力をＦ２、袋体（１）に加わる水圧をＦ１とすると、水中の袋体（１）にはＦ２＞Ｆ１となる復元力が働いて該復元部材（３）が元の形状に戻る変形が起き、その変形に追従して開口した水吸入口（２ｄ）から中空部（１ｂ）内へと水や海水が吸入され、該中空部（１ｂ）内に設けた発泡部（１Ａ）の発泡剤と吸入した水や海水が反応を起して気体を発生して袋体（１）内全体の容積が増えることで、該袋体（１）全体の浮力が増して袋体（１）を装着した体が浮くようにした救命浮き袋。
【請求項３】
前記袋体（１）内に適当量の水や海水を吸入した後に、その適当量吸入した水や海水が発泡部（１Ａ）の発泡剤と反応を始める手段を設けた請求項２記載の救命浮き袋。
【請求項４】
前記救命具が複数の袋体（１）でなり、各袋体（１）内に形成する中空部（１ｂ）どうしを連通孔（１ｃ）で連通し、少なくともひとつの袋体（１）内で吸入した空気又は発生した気体が、各中空部（１ｂ）どうしを移動できるようにした請求項１、２又は３記載の救命浮き袋。
【請求項５】
前記袋体（１）内に設ける発泡部（１Ａ）の発泡剤が水や海水で溶ける水溶材（１１）で内包して設けてなる請求項２〜４のいずれか１項に記載の救命浮き袋。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
連続シートへの印刷を印刷部に実行させることが可能な印刷制御装置であって、
前記印刷部による連続シートの印刷に際し、連続シートの第１面への印刷が行われた後、当該連続シートを保持する保持部と、
前記印刷部により印刷のための処理を行っている間に、割込み印刷の指示を入力する入力手段と、
前記入力手段により割込み印刷の指示が入力されたときに前記印刷部により連続シートへの印刷のための処理が行われていた場合、当該連続シートを前記保持部で保持させた状態で当該印刷のための処理を中断させ、前記入力手段により入力された割込み印刷の指示に基づく割込み印刷を前記印刷部に行わせ、当該割込み印刷が完了した後に、前記保持部で保持させていた連続シートに対する印刷のための処理を再開させる印刷制御手段と、
を有することを特徴とする印刷制御装置。
【請求項２】
前記印刷制御手段は、前記入力手段により割込み印刷の指示が入力されたときに前記印刷部による連続シートへの両面印刷のための第１面への印刷が行われていた場合、第１面への印刷が行われた当該連続シートを前記保持部で保持させて、前記入力手段により入力された割込み印刷の指示に基づく割込み印刷を前記印刷部に行わせることを特徴とする請求項１に記載の印刷制御装置。
【請求項３】
前記連続シートを切断させる切断部を有し、
前記印刷制御手段は、前記入力手段により割込み印刷の指示が入力されたときに前記印刷部による連続シートへの両面印刷のための第１面への印刷が行われていた場合、第１面への印刷が行われた当該連続シートを前記切断部で切断させてから前記保持部で保持させることを特徴とする請求項２に記載の印刷制御装置。
【請求項４】
前記保持部は、第１面への印刷が行われた連続シートを、回転動作により巻取り、巻き取られた連続シートを反転させて逆方向に前記印刷部に供給することにより第２面への印刷を行わせ、
前記印刷制御手段は、前記入力手段により割込み印刷の指示が入力されたときに前記印刷部による連続シートへの両面印刷のための第２面への印刷が行われていた場合、第２面への印刷を中断させるとともに、前記保持部を逆回転させることにより当該連続シートを保持させた状態で、前記入力手段により入力された割込み印刷の指示に基づく割込み印刷を前記印刷部に行わせることを特徴とする請求項１〜３のいずれか１項に記載の印刷制御装置。
【請求項５】
前記印刷制御手段は、前記入力手段により割込み印刷の指示が入力されたときに前記印刷部による連続シートへの両面印刷のための処理が行われていた場合、当該割込み印刷の内容に基づき、前記両面印刷のための処理を中断させて当該割込み印刷を行わせるか、前記両面印刷を完了させてから当該割込み印刷を行わせるか決定することを特徴とする請求項１〜４のいずれか１項に記載の印刷制御装置。
【請求項６】
前記印刷制御手段は、前記割込み印刷が所定の時間内に完了できるか否かにより、前記両面印刷のための処理を中断させて当該割込み印刷を行わせるか、前記両面印刷を完了させてから当該割込み印刷を行わせるか決定することを特徴とする請求項５に記載の印刷制御装置。
【請求項７】
前記印刷制御手段は、先行ジョブの表面の印刷が完了した後に前記入力手段により入力された割込み印刷の指示に基づく割込み印刷を前記印刷部に行わせることを特徴とする請求項１〜６のいずれか１項に記載の印刷制御装置。
【請求項８】
前記印刷制御手段は、先行ジョブの表面の印刷を途中で中断させて前記入力手段により入力された割込み印刷の指示に基づく割込み印刷を前記印刷部に行わせることを特徴とする請求項１〜６のいずれか１項に記載の印刷制御装置。
【請求項９】
前記保持部は、前記印刷部による連続シートの両面への印刷に際し、連続シートの第１面への印刷が行われた後、第２面への印刷を行わせるために当該連続シートを反転させる反転部であることを特徴とする請求項１〜８のいずれか１項に記載の印刷制御装置。
【請求項１０】
連続シートの印刷に際し、印刷部による連続シートの第１面への印刷が行われた後、当該連続シートを保持させる保持部によって当該連続シートを保持させて印刷を行わせるための印刷制御方法であって、
前記印刷部により印刷のための処理が行われている間に、割込み印刷の指示を入力し、
前記割込み印刷の指示が入力されたときに、前記印刷部により連続シートへの印刷のための処理が行われていた場合、当該連続シートを前記保持部で保持させた状態で当該印刷のための処理を中断させて前記入力された割込み印刷の指示に基づく割込み印刷を前記印刷部に行わせ、当該割込み印刷が完了した後に、前記保持部で保持させていた連続シートに対する印刷のための処理を再開させることを特徴とする印刷制御方法。
【請求項１１】
請求項１〜９のいずれか１項に記載の印刷制御装置の各手段、または請求項１０に記載の印刷制御方法をコンピュータにより実現することを特徴とするプログラム。
【手続補正２】
【補正対象書類名】明細書
【補正対象項目名】０００６
【補正方法】変更
【補正の内容】
【０００６】
上記課題を解決するため、本発明の印刷制御装置は、連続シートへの印刷を印刷部に実行させることが可能な印刷制御装置であって、前記印刷部による連続シートの印刷に際し、連続シートの第１面への印刷が行われた後、当該連続シートを保持する保持部と、前記印刷部により印刷のための処理を行っている間に、割込み印刷の指示を入力する入力手段と、前記入力手段により割込み印刷の指示が入力されたときに前記連続シートに対する処理が行われていた場合、当該連続シートを前記保持部で保持させた状態で当該印刷のための処理を中断させ、前記入力手段により入力された割込み印刷の指示に基づく割込み印刷を前記印刷部に行わせ、当該割込み印刷が完了した後に、前記保持部で保持させていた連続シートに対する印刷のための処理を再開させる印刷制御手段と、を有する。
【手続補正３】
【補正対象書類名】明細書
【補正対象項目名】０００７
【補正方法】変更
【補正の内容】
【０００７】
本発明によれば、割込み印刷の指示が入力された場合に、先の印刷のための連続シートを保持部で保持させた状態で中断させるので、連続シートへの印刷を行っている途中で割込み印刷が行えるとともに、先の印刷も適切に完了させることができる。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
連続シートへの印刷を印刷部に実行させることが可能な印刷制御装置であって、
前記印刷部による連続シートの両面への印刷に際し、連続シートの第１面への印刷が行われた後、第２面への印刷を行わせるために当該連続シートを反転させる反転部と、
前記印刷部により印刷のための処理を行っている間に、割込み印刷の指示を入力する入力手段と、
前記入力手段により連続シートの片面への印刷を行わせる割込み印刷の指示が入力されたときに先行ジョブに基づき前記印刷部による連続シートへの両面印刷のため当該連続シートの第１面への印刷が行われている場合、前記入力手段により入力された割込み印刷の指示に基づく割込み印刷を、前記先行ジョブに基づく前記連続シートの第１面への印刷に続けて行わせるとともに前記反転部への印刷済みの連続シートの供給を行わせるよう制御する印刷制御手段とを有することを特徴とする印刷制御装置。
【請求項２】
前記印刷制御手段は、前記印刷部により先行ジョブに基づく印刷が行われていないときに連続シートの片面への印刷を行わせる場合、印刷済みの当該連続シートを、前記反転部に供給させないよう制御することを特徴とする請求項１に記載の印刷制御装置。
【請求項３】
前記連続シートを切断させる切断部を有し、
前記印刷制御手段は、前記先行ジョブに基づき前記連続シートの第１面への印刷と、前記入力手段により入力された割込み印刷の指示に基づく割込み印刷との境で当該連続シートを前記切断部により切断させ、前記先行ジョブに基づき前記連続シートの第１面への印刷が行われた分は第２面への印刷を行わせるべく前記反転部に供給させ、前記入力手段により入力された割込み印刷の指示に基づく割込み印刷が行われた分は前記反転部に供給させないよう制御することを特徴とする請求項１または２に記載の印刷制御装置。
【請求項４】
前記先行ジョブで使用する連続シートと、前記入力手段により入力された割込み印刷の指示に基づく割込み印刷で使用する連続シートとが同一であるか判定する判定手段を有し、
前記印刷制御手段は、前記判定手段で同一と判定された場合、前記入力手段により入力された割込み印刷の指示に基づく割込み印刷を、前記先行ジョブに基づく印刷に続けて行わせるとともに前記反転部への印刷済みの連続シートの供給を行わせ、前記判定手段で同一でないと判定された場合、少なくとも前記先行ジョブに基づく連続シートへの第１面への印刷が完了するまで前記入力手段により入力された割込み印刷の指示に基づく割込み印刷を待機させることを特徴とする請求項１〜３のいずれか１項に記載の印刷制御装置。
【請求項５】
前記判定手段で同一でないと判定された場合、前記先行ジョブに基づく連続シートの第１面及び第２面への印刷が完了するまで前記入力手段により入力された割込み印刷の指示に基づく割込み印刷を待機させることを特徴とする請求項４に記載の印刷制御装置。
【請求項６】
前記判定手段で同一でないと判定された場合、前記先行ジョブに基づく連続シートへの第１面への印刷が完了した後、当該連続シートを切断させて前記反転部へ当該連続シートの供給を行わせ、前記先行ジョブの第２面への印刷前に前記連続シートとは異なるシートへ前記割込み印刷の指示に基づく割込み印刷を実行させることを特徴とする請求項４に記載の印刷制御装置。
【請求項７】
連続シートの両面への印刷に際し、印刷部による連続シートの第１面への印刷が行われた後、第２面への印刷を行わせるために当該連続シートを反転させる反転部によって当該連続シートを反転させて印刷を行わせるための印刷制御方法であって、
前記印刷部により印刷のための処理が行われている間に、割込み印刷の指示を入力し、
連続シートの片面への印刷を行わせる前記割込み印刷の指示が入力されたときに、先行ジョブに基づき前記印刷部により連続シートへの両面印刷のため当該連続シートの第１面への印刷が行われ、印刷済みの当該連続シートが前記反転部に供給されている場合、前記割込み印刷の指示に基づく割込み印刷を、前記先行ジョブに基づく前記連続シートの第１面への印刷に続けて行わせるとともに前記反転部への印刷済みの連続シートの供給を行わせることを特徴とする印刷制御方法。
【請求項８】
請求項１〜６のいずれか１項に記載の印刷制御装置の各手段、または請求項７に記載の印刷制御方法をコンピュータにより実現することを特徴とするプログラム。
【手続補正２】
【補正対象書類名】明細書
【補正対象項目名】０００６
【補正方法】変更
【補正の内容】
【０００６】
上記課題を解決するため、本発明の印刷制御装置は、連続シートへの印刷を印刷部に実行させることが可能な印刷制御装置であって、前記印刷部による連続シートの両面への印刷に際し、連続シートの第１面への印刷が行われた後、第２面への印刷を行わせるために当該連続シートを反転させる反転部と、前記印刷部により印刷のための処理を行っている間に、割込み印刷の指示を入力する入力手段と、前記入力手段により連続シートの片面への印刷を行わせる割込み印刷の指示が入力されたときに先行ジョブに基づき前記印刷部による連続シートへの両面印刷のため当該連続シートの第１面への印刷が行われている場合、前記入力手段により入力された割込み印刷の指示に基づく割込み印刷を、前記先行ジョブに基づく前記連続シートの第１面への印刷に続けて行わせるとともに前記反転部への印刷済みの連続シートの供給を行わせるよう制御する印刷制御手段とを有する。
【手続補正３】
【補正対象書類名】明細書
【補正対象項目名】０００７
【補正方法】変更
【補正の内容】
【０００７】
本発明によれば、先の両面印刷による連続シートの第１面への印刷に続けて片面印刷による割込み印刷を行わせ、印刷済みの連続シートの反転部への供給を行わせる。従って、連続シートへの両面印刷を行っている途中で他の両面印刷を割込み可能とするとともに、先の両面印刷も適切に完了させることができる。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
連続シートへの印刷を印刷部に実行させることが可能な印刷制御装置であって、
前記印刷部による連続シートの両面への印刷に際し、連続シートの第１面への印刷が行われた後、第２面への印刷を行わせるために当該連続シートを反転させる反転部と、
前記印刷部により印刷のための処理を行っている間に、割込み印刷の指示を入力する入力手段と、
前記入力手段により連続シートの両面への印刷を行わせる割込み印刷の指示が入力されたときに先行ジョブに基づき前記印刷部による連続シートへの両面印刷のため当該連続シートの第１面への印刷が行われている場合、前記入力手段により入力された割込み印刷の指示に基づく前記連続シートの第１面への割込み印刷を、前記先行ジョブに基づく前記連続シートの第１面への印刷に続けて行わせるとともに前記反転部への印刷済みの連続シートの供給を行わせ、第２面への前記先行ジョブ及び前記割込み印刷の指示に基づく印刷を行わせるよう制御する印刷制御手段とを有することを特徴とする印刷制御装置。
【請求項２】
前記印刷制御手段は、前記入力手段により入力された割込み印刷の指示に基づく割込み印刷を、前記先行ジョブによる前記連続シートの第１面への印刷完了後に開始させることを特徴とする請求項１に記載の印刷制御装置。
【請求項３】
前記印刷制御手段は、前記入力手段により入力された割込み印刷の指示に基づく割込み印刷を、前記先行ジョブによる前記連続シートの第１面への印刷完了を待たずに開始させることを特徴とする請求項１に記載の印刷制御装置。
【請求項４】
前記先行ジョブで使用する連続シートと、前記入力手段により入力された割込み印刷の指示に基づく割込み印刷で使用する連続シートとが同一であるか判定する判定手段を有し、
前記印刷制御手段は、前記判定手段で同一と判定された場合、前記入力手段により入力された割込み印刷の指示に基づく割込み印刷を、前記先行ジョブに基づく印刷に続けて行わせるとともに前記反転部への印刷済みの連続シートの供給を継続させ、同一でないと判定された場合、前記先行ジョブに基づく連続シートへの第１面及び第２面への印刷が完了するまで前記入力手段により入力された割込み印刷の指示に基づく割込み印刷を待機させることを特徴とすることを特徴とする請求項１に記載の印刷制御装置。
【請求項５】
前記連続シートを切断させる切断部を有し、
前記印刷制御手段は、前記入力手段により入力された割込み印刷の指示に基づく前記連続シートの第１面への印刷完了後に、前記切断部により当該シートを切断させることを特徴とする請求項１〜４のいずれか１項に記載の印刷制御装置。
【請求項６】
前記印刷制御手段は、連続シートの第２面へ前記先行ジョブに基づく印刷よりも先に前記割込み印刷の指示に基づく印刷を行わせるように制御することを特徴とする請求項１〜５のいずれか１項に記載の印刷制御装置。
【請求項７】
連続シートの両面への印刷に際し、印刷部による連続シートの第１面への印刷が行われた後、第２面への印刷を行わせるために当該連続シートを反転させる反転部によって当該連続シートを反転させて印刷を行わせるための印刷制御方法であって、
前記印刷部により印刷のための処理が行われている間に、割込み印刷の指示を入力し、
連続シートの両面への印刷を行わせる前記割込み印刷の指示が入力されたときに、先行ジョブに基づき前記印刷部により連続シートへの両面印刷のため当該連続シートの第１面への印刷が行われている場合、前記割込み印刷の指示に基づく前記連続シートの第１面への割込み印刷を、前記先行ジョブに基づく前記連続シートの第１面への印刷に続けて行わせるとともに前記反転部への印刷済みの連続シートの供給を行わせ、第２面への前記先行ジョブ及び前記割込み印刷の指示に基づく印刷を行わせることを特徴とする印刷制御方法。
【請求項８】
請求項１〜６のいずれか１項に記載の印刷制御装置の各手段、または請求項７に記載の印刷制御方法をコンピュータにより実現することを特徴とするプログラム。
【手続補正２】
【補正対象書類名】明細書
【補正対象項目名】０００６
【補正方法】変更
【補正の内容】
【０００６】
上記課題を解決するため、本発明の印刷制御装置は、連続シートへの印刷を印刷部に実行させることが可能な印刷制御装置であって、前記印刷部による連続シートの両面への印刷に際し、連続シートの第１面への印刷が行われた後、第２面への印刷を行わせるために当該連続シートを反転させる反転部と、前記印刷部により印刷のための処理を行っている間に、割込み印刷の指示を入力する入力手段と、前記入力手段により連続シートの両面への印刷を行わせる割込み印刷の指示が入力されたときに先行ジョブに基づき前記印刷部による連続シートへの両面印刷のため当該連続シートの第１面への印刷が行われている場合、前記入力手段により入力された割込み印刷の指示に基づく前記連続シートの第１面への割込み印刷を、前記先行ジョブに基づく前記連続シートの第１面への印刷に続けて行わせるとともに前記反転部への印刷済みの連続シートの供給を行わせ、第２面への前記先行ジョブ及び前記割込み印刷の指示に基づく印刷を行わせるよう制御する印刷制御手段とを有する。
【手続補正３】
【補正対象書類名】明細書
【補正対象項目名】０００７
【補正方法】変更
【補正の内容】
【０００７】
本発明によれば、割込み印刷の指示が入力された場合に、先の両面印刷のための連続シートを反転部で保持させた状態で中断させるので、連続シートへの両面印刷を行っている途中で割込み印刷が行えるとともに、先の両面印刷も適切に完了させることができる。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
基板に樹脂を塗布し該樹脂に型を押し付けた状態で該樹脂を硬化させるインプリント装置であって、
前記型は、ポーラス層を有し、
前記インプリント装置は、
前記型を保持するチャックと、
前記チャックによって保持された前記型の前記ポーラス層から気体が排出されるように前記ポーラス層に気体を供給する供給部と、
を備え、
前記供給部は、樹脂に前記型を押し付ける前の期間の少なくとも一部において、前記型の前記ポーラス層から気体が排出されるように前記型に気体を供給することを特徴とするインプリント装置。
【請求項２】
前記型は、パターンが形成されたパターン部を有し、前記パターン部が前記ポーラス層で構成されていて、
前記供給部は、樹脂に前記型を押し付けてから該樹脂が硬化するまでの期間は、前記ポーラス層への気体の供給を停止する、
ことを特徴とする請求項１に記載のインプリント装置。
【請求項３】
前記型は、前記ポーラス層の一部を覆う非ポーラス部材からなるキャップ層を有し、前記キャップ層にパターン部が配置されていて、前記キャップ層は、気体を透過させる厚さを有し、
前記供給部は、樹脂に前記型を押し付けてから該樹脂が硬化するまでの期間は、前記ポーラス層への気体の供給を停止する、
ことを特徴とする請求項１に記載のインプリント装置。
【請求項４】
前記供給部は、硬化した樹脂から前記型を引き離す際に、前記型の前記ポーラス層から気体が排出されるように前記型に気体を供給する、
ことを特徴とする請求項１に記載のインプリント装置。
【請求項５】
基板に樹脂を塗布し該樹脂に型を押し付けた状態で該樹脂を硬化させるインプリント装置であって、
前記型は、ポーラス層を有し、
前記インプリント装置は、
前記型を保持するチャックと、
気体制御部とを備え、
前記気体制御部は、
樹脂に押し付けられた前記型のパターン部に形成されたパターンの凹部から前記ポーラス層を介して気体が吸引され、これによって前記凹部への該樹脂の充填が促進されるように前記ポーラス層から気体を吸引する吸引部と、
前記チャックによって保持された前記型の前記ポーラス層から気体が排出されるように前記ポーラス層に気体を供給する供給部とを含み、
前記供給部は、樹脂に前記型を押し付ける前の期間の少なくとも一部において、前記型の前記ポーラス層から気体が排出されるように前記型に気体を供給することを特徴とするインプリント装置。
【請求項６】
物品を製造する製造方法であって、
請求項１乃至５のいずれか１項に記載のインプリント装置を用いて基板の上に樹脂のパターンを形成する工程と、
該パターンが形成された基板を加工する工程と、
を含むことを特徴とする製造方法。
【手続補正２】
【補正対象書類名】明細書
【補正対象項目名】０００６
【補正方法】変更
【補正の内容】
【０００６】
本発明の１つの側面は、基板に樹脂を塗布し該樹脂に型を押し付けた状態で該樹脂を硬化させるインプリント装置に係り、前記型は、ポーラス層を有し、前記インプリント装置は、前記型を保持するチャックと、前記チャックによって保持された前記型の前記ポーラス層から気体が排出されるように前記ポーラス層に気体を供給する供給部とを備え、前記供給部は、樹脂に前記型を押し付ける前の期間の少なくとも一部において、前記型の前記ポーラス層から気体が排出されるように前記型に気体を供給する。
【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
流体を第１の方向に噴射するノズルが該第１の方向と直交する第２の方向に複数並んだノズル列を有する流体噴射ヘッドと、
前記ノズルと前記第１の方向において所定距離離間して、前記第２の方向に張架されると共に、前記第１の方向及び前記第２の方向と直交する第３の方向において所定幅で前記流体を受容可能な流体受容領域を備える吸収部材と、
前記ノズル列から前記流体を予備噴射させる際、前記第１の方向において前記ノズル列と前記流体受容領域とを対向させ、且つ、前記吸収部材の前記所定幅の中心線と前記ノズル列の前記第３方向における位置関係を異ならせた流体受容位置に、前記吸収部材を移動させる移動装置と、
を有することを特徴とする流体噴射装置。
【請求項２】
前記移動装置は、前記流体受容位置と、前記ノズル列と前記流体受容領域とが対向しない退避位置との間で、前記吸収部材を前記第３の方向において移動させることを特徴とする請求項１に記載の流体噴射装置。
【請求項３】
前記移動装置は、前記退避位置から前記流体受容位置に向けて前記吸収部材を移動させる際に、前記第３の方向において前記流体受容位置よりも手前側で前記吸収部材の移動を減速させることを特徴とする請求項２に記載の流体噴射装置。
【請求項４】
前記流体受容位置は、前記第３方向において、前記ノズル列よりも前記退避位置から離れた側に前記中心線の位置が設定され、
前記移動装置は、前記第３方向において、前記ノズル列よりも前記退避位置に近い側で前記吸収部材の移動を減速させることを特徴とする請求項３に記載の流体噴射装置。
【請求項５】
前記減速に伴う前記吸収部材の振動の前記第３の方向における振幅領域が、前記ノズル列を中心とする前記所定幅の領域内に収まった時に、前記予備噴射を開始させる制御装置を有することを特徴とする請求項４に記載の流体噴射装置。
【請求項６】
前記制御装置は、前記予備噴射の開始後、前記振動の一周期以内に、前記予備噴射を実行させることを特徴とする請求項５に記載の流体噴射装置。
【手続補正２】
【補正対象書類名】明細書
【補正対象項目名】０００８
【補正方法】変更
【補正の内容】
【０００８】
上記課題を解決するために、本発明は、流体を第１の方向に噴射するノズルが該第１の方向と直交する第２の方向に複数並んだノズル列を有する流体噴射ヘッドと、上記ノズルと上記第１の方向において所定距離離間して、上記第２の方向に張架されると共に、上記第１の方向及び上記第２の方向と直交する第３の方向において所定幅で上記流体を受容可能な流体受容領域を備える吸収部材と、上記ノズル列から上記流体を予備噴射させる際、上記第１の方向において上記ノズル列と上記流体受容領域とを対向させ、且つ、上記吸収部材の上記所定幅の中心線と上記ノズル列の上記第３方向における位置関係を異ならせた流体受容位置に、上記吸収部材を移動させる移動装置と、を有する流体噴射装置を採用する。
また、本発明においては、流体を第１の方向に噴射するノズルが該第１の方向と直交する第２の方向に複数並んだノズル列を有する流体噴射ヘッドと、上記ノズルと上記第１の方向において所定距離離間して、上記第２の方向に張架されると共に、上記第１の方向及び上記第２の方向と直交する第３の方向において所定幅で上記流体を受容可能な流体受容領域を備える断面円形の線状部材と、上記ノズル列から上記流体を予備噴射させる際、上記第１の方向において上記ノズル列と上記流体受容領域とを対向させ、且つ、上記第３の方向において上記ノズル列と上記線状部材の中心線との位置を異ならせる流体受容位置に、上記線状部材を移動させる移動装置と、を有する流体噴射装置を採用する。
このような構成を採用することによって、本発明では、線状部材が第３の方向に所定幅の流体受容領域を備えるため、線状部材の中心線の位置をノズル列の位置と第３の方向で異ならせることができる。そうすると、線状部材が第１の方向に振動しても、その振動の頂点をノズル列に対してズラすことができるため、線状部材とノズル列とが接触することによる、メニスカスの破壊を防止することができる。
【手続補正書】
【提出日】平成25年1月10日(2013.1.10)
【手続補正１】
【補正対象書類名】明細書
【補正対象項目名】発明の名称
【補正方法】変更
【補正の内容】
【発明の名称】発光素子、発光装置、電子機器及び照明装置
【手続補正２】
【補正対象書類名】特許請求の範囲
【補正対象項目名】全文
【補正方法】変更
【補正の内容】
【特許請求の範囲】
【請求項１】
一般式（Ｇ１）で表される複素環化合物を含む発光素子。
【化１】
2011201869.tif 000001
（式中、Ａは、置換又は無置換のカルバゾリル基、置換又は無置換のジベンゾチオフェニル基、置換又は無置換のジベンゾフラニル基、のいずれかを表し、Ｒ１１〜Ｒ１９は、それぞれ独立に、水素、炭素数１〜４のアルキル基、又は炭素数６〜１３の置換もしくは無置換のアリール基のいずれかを表し、Ａｒは、炭素数６〜１３のアリーレン基を表し、前記アリーレン基は置換基を有していてもよく、前記置換基は互いに結合して環を形成しても良い。）
【請求項２】
一般式（Ｇ２−１）で表される複素環化合物を含む発光素子。
【化２】
2011201869.tif 000002
（式中、Ｚは、酸素又は硫黄を表し、Ｒ１１〜Ｒ１９、及びＲ２１〜Ｒ２７は、それぞれ独立に、水素、炭素数１〜４のアルキル基、又は炭素数６〜１３の置換もしくは無置換のアリール基を表し、Ａｒは、炭素数６〜１３のアリーレン基を表し、前記アリーレン基は置換基を有していてもよく、前記置換基は互いに結合して環を形成しても良い。）
【請求項３】
一般式（Ｇ２−２）で表される複素環化合物を含む発光素子。
【化３】
2011201869.tif 000003
（式中、Ｒ１１〜Ｒ１９、及びＲ３１〜Ｒ３８は、それぞれ独立に、水素、炭素数１〜４のアルキル基、又は炭素数６〜１３の置換もしくは無置換のアリール基を表し、Ａｒは、炭素数６〜１３のアリーレン基を表し、前記アリーレン基は置換基を有していてもよく、前記置換基は互いに結合して環を形成しても良い。）
【請求項４】
請求項２に記載のＡｒ又は請求項３に記載のＡｒが、置換又は無置換のフェニレン基、置換又は無置換のビフェニルジイル基のいずれかである複素環化合物を含む発光素子。
【請求項５】
請求項２に記載のＡｒ又は請求項３に記載のＡｒが、置換又は無置換のフェニレン基である複素環化合物を含む発光素子。
【請求項６】
請求項２に記載のＡｒ又は請求項３に記載のＡｒが、置換又は無置換のｍ−フェニレン基である複素環化合物を含む発光素子。
【請求項７】
一般式（Ｇ３−１）で表される複素環化合物を含む発光素子。
【化４】
2011201869.tif 000004
（式中、Ｚは、酸素又は硫黄を表し、Ｒ１１〜Ｒ１９、Ｒ２１〜Ｒ２７、及びＲ４１〜Ｒ４４は、それぞれ独立に、水素、炭素数１〜４のアルキル基、又は炭素数６〜１３の置換もしくは無置換のアリール基を表す。）
【請求項８】
一般式（Ｇ３−２）で表される複素環化合物を含む発光素子。
【化５】
2011201869.tif 000005
（式中、Ｒ１１〜Ｒ１９、Ｒ３１〜Ｒ３８、及びＲ４１〜Ｒ４４は、それぞれ独立に、水素、炭素数１〜４のアルキル基、又は炭素数６〜１３の置換もしくは無置換のアリール基を表す。）
【請求項９】
ジベンゾ［ｆ，ｈ］キノキサリン環と正孔輸送骨格とが、アリーレン基を介して結合した化合物を含む発光素子。
【請求項１０】
発光材料と、ジベンゾ［ｆ，ｈ］キノキサリン環と正孔輸送骨格とが、アリーレン基を介して結合した化合物と、を発光層に含む発光素子。
【請求項１１】
請求項９又は請求項１０において、
前記正孔輸送骨格は、π過剰系ヘテロ芳香環である発光素子。
【請求項１２】
請求項１１において、
前記π過剰系ヘテロ芳香環は、カルバゾール環、ジベンゾフラン環、又はジベンゾチオフェン環である発光素子。
【請求項１３】
請求項９乃至請求項１２のいずれか一項において、
前記アリーレン基は、置換又は無置換のフェニレン基、置換又は無置換のビフェニルジイル基である発光素子。
【請求項１４】
請求項１乃至１３のいずれか一項において、
発光物質と、請求項１乃至請求項８のいずれか一項に記載の複素環化合物とを発光層に含む発光素子。
【請求項１５】
請求項１乃至請求項１４のいずれか一項に記載の発光素子を発光部に備える発光装置。
【請求項１６】
請求項１５に記載の発光装置を表示部に備える電子機器。
【請求項１７】
請求項１５に記載の発光装置を発光部に備える照明装置。
【手続補正書】
【提出日】平成25年9月20日(2013.9.20)
【手続補正１】
【補正対象書類名】特許請求の範囲
【補正対象項目名】請求項４
【補正方法】変更
【補正の内容】
【請求項４】
前記塗布液に電離放射線硬化性の化合物を含有すると共に、前記透明支持体に塗布された塗布層を光照射、電子線ビーム照射又は加熱することによる架橋反応、又は重合反応により前記塗布層を硬化させて前記形成された相分離凹凸構造を固定化することを特徴とする請求項１〜３の何れか１に記載の光散乱シートの製造方法。
【手続補正２】
【補正対象書類名】明細書
【補正対象項目名】００２５
【補正方法】変更
【補正の内容】
【００２５】
また、本発明の製造方法においては、前記塗布液に電離放射線硬化性の化合物を含有すると共に、前記透明支持体に塗布された塗布層を光照射、電子線ビーム照射又は加熱することによる架橋反応、又は重合反応により前記塗布層を硬化させて前記形成された相分離凹凸構造を固定化することが好ましい。